(57)【要約】【課題】平形柔軟ケーブル用電気コネクタにおいて、平形柔軟ケーブルの振れを抑制してコンタクトとの接続状態を安定的に維持する。キャップにより情報表示を行う。【解決手段】ほぼ直方体形の平形柔軟ケーブル用電気コネクタ２００に装着されるキャップ１００である。このキャップは、可撓性を有すると共に、奥行き方向の両端に幅方向に延びる端縁１１１、１１２を有する板状の本体部１１０と、本体部の奥行き方向の両側の端縁から厚さ方向の一方に延びる正面部１２０及び背面部１３０とを備え、本体部が電気コネクタの収容室２１０に対して厚さ方向の一方側にある天井壁２３０に重なるように配置すると、正面部が電気コネクタに正面側から接触し、背面部が電気コネクタに背面側から接触し、可撓性により正面部及び背面部で電気コネクタを接触力をもって挟持する。【選択図】  図１
2004342527.tif 000002
【特許請求の範囲】
【請求項１】
互いに直交する奥行き方向、幅方向、及び厚さ方向をとったときに、奥行き方向の手前に開口し、厚さ方向に面を向けた平形柔軟ケーブルを受け入れる収容室を有すると共に、この収容室に厚さ方向に弾性変形できるコンタクトを有したほぼ直方体形の平形柔軟ケーブル用電気コネクタに装着されるキャップであって、
可撓性を有すると共に、奥行き方向の両端に幅方向に延びる端縁を有する板状の本体部と、本体部の奥行き方向の両側の端縁から厚さ方向の一方に延びる正面部及び背面部とを備え、
本体部が電気コネクタの収容室に対して厚さ方向の一方側にある天井壁に重なるように配置すると、正面部が電気コネクタに正面側から接触し、背面部が電気コネクタに背面側から接触し、可撓性により正面部及び背面部で電気コネクタを接触力をもって挟持するように構成したことを特徴とする平形柔軟ケーブル用電気コネクタのキャップ。
【請求項２】
正面部及び背面部のうち少なくとも一方が奥行き方向に突出する突出部を備えており、この突出部で電気コネクタに接触している請求項１の平形柔軟ケーブル用電気コネクタのキャップ。
【請求項３】
突出部の先端の表面が幅方向からみて弧を描くように形成されている請求項２の平形柔軟ケーブル用電気コネクタのキャップ。
【請求項４】
突出部に、幅方向からみてほぼＬ字形の段部が、電気コネクタの天井壁の角部に二面で接触するように設けられている請求項２又は請求項３の平形柔軟ケーブル用電気コネクタのキャップ。
【請求項５】
正面部の厚さ方向の先端が電気コネクタに挿入された平形柔軟ケーブルに接触できるように構成されている請求項１ないし請求項４のうちいずれか１項の平形柔軟ケーブル用電気コネクタのキャップ。
【請求項６】
正面部の厚さ方向の長さが、ほぼ天井壁の表面から平形柔軟ケーブル挿入時におけるコンタクトの接点までの厚さ方向の距離に一致するように設けられた請求項１ないし請求項５のうちいずれか１項の平形柔軟ケーブル用電気コネクタのキャップ。
【請求項７】
正面部の厚さ方向の長さが、ほぼ天井壁の厚さに一致するように設けられた請求項１ないし請求項６のうちいずれか１項の平形柔軟ケーブル用電気コネクタのキャップ。
【請求項８】
正面部及び背面部のうち少なくとも一方が板状に形成されている請求項１ないし請求項７のうちいずれか１項の平形柔軟ケーブル用電気コネクタのキャップ。
【請求項９】
キャップの表面に、電気コネクタの種類又は接続に関する情報が表示されている請求項１ないし請求項８のうちいずれか１項の平形柔軟ケーブル用電気コネクタのキャップ。
【発明の詳細な説明】
【０００１】
【発明の属する技術分野】
本発明は、ＦＦＣ（フレキシブル・フラット・ケーブル）、ＦＰＣ（フレキシブル・プリンテッド・サーキット）などの平形柔軟ケーブルを接続する電気コネクタの技術分野に属し、この電気コネクタに装着されるキャップに関する。
【０００２】
【従来の技術】
特許文献１及び特許文献２は、奥行き方向の手前に開口し、厚さ方向に面を向けた平形柔軟ケーブルを受け入れる収容室を有すると共に、この収容室に厚さ方向に弾性変形できるコンタクトを有したほぼ直方体形の平形柔軟ケーブル用電気コネクタを開示している。この平形柔軟ケーブル用電気コネクタの収容室に平形柔軟ケーブルを挿入すると、平形柔軟ケーブルは弾性変形したコンタクトの復元力でもって厚さ方向に接触圧力を受け、この接触圧力によって電気コネクタに保持される。
【０００３】
特許文献３は、フレーム上に複数の端子を集合してなる端子台の上側に取付けられ、各端子の名称記号を表示する端子台の記名シートを開示する。この記名シートの一辺に折り曲げ部を設けてこの記名シートの面とほぼ直角に折り曲げ自在な取付面を形成し、この取付面を上記フレームの側面に取付けるようにしている。
【０００４】
【特許文献１】
特開平６−３２５８３７号公報
【特許文献２】
特開平６−４５０３６号公報
【特許文献３】
実開昭６３−９５１７３号公報
【０００５】
【発明が解決しようとする課題】
平形柔軟ケーブル用電気コネクタに保持された平形柔軟ケーブルが外力を受けて厚さ方向に振れると、平形柔軟ケーブルとコンタクトとの接触位置がずれて接続状態が不安定になる。
【０００６】
また、平形柔軟ケーブルが例えば振動を受けてコンタクトに対して細かいストロークで往復移動することが繰り返されると、両者の接触部の付近に形成された酸化被膜が剥離する微摺動摩耗をきたし、この剥離した酸化被膜が堆積すると、ついには接触不良を起こし、接続状態が不安定になる。
【０００７】
さらに、使用環境によっては接触部に塵が入り込んで接触不良をきたして接続状態が不安定になる。
【０００８】
一方、この種の平形柔軟ケーブル用電気コネクタでは、例えば電気コネクタの種類又は接続に関する情報を表示したいという要望があった。特に、電気コネクタをプリント配線板等に実装した後でも簡単な操作でもってこれらの情報を表示できること、表示情報の書換ができることなどが切望されていた。
【０００９】
本発明は、このような点に着目してなされたもので、その目的とするところは、平形柔軟ケーブル用電気コネクタに被せることで装着でき、上記課題を解決することができるキャップを提供することにある。
【００１０】
【課題を解決するための手段】
上記目的を達成するため、請求項１は、互いに直交する奥行き方向、幅方向、及び厚さ方向をとったときに、奥行き方向の手前に開口し、厚さ方向に面を向けた平形柔軟ケーブルを受け入れる収容室を有すると共に、この収容室に厚さ方向に弾性変形できるコンタクトを有したほぼ直方体形の平形柔軟ケーブル用電気コネクタに装着されるキャップを対象とする。このキャップは、可撓性を有すると共に、奥行き方向の両端に幅方向に延びる端縁を有する板状の本体部と、本体部の奥行き方向の両側の端縁から厚さ方向の一方に延びる正面部及び背面部とを備え、本体部が電気コネクタの収容室に対して厚さ方向の一方側にある天井壁に重なるように配置すると、正面部が電気コネクタに正面側から接触し、背面部が電気コネクタに背面側から接触し、可撓性により正面部及び背面部で電気コネクタを接触力をもって挟持するように構成している。
【００１１】
キャップを電気コネクタに天井壁の側から押しつけると、正面部及び背面部が離れるように拡開し、これが戻るとキャップが電気コネクタに係止する。また、キャップを電気コネクタの幅方向の一方側に配置し、電気コネクタに向かってスライドすると、正面部及び背面部が離れるように拡開し、これが戻るとキャップが電気コネクタに係止する。また、キャップの正面部又は背面部を電気コネクタの正面又は背面に接触させ、キャップを回動していくと、正面部及び背面部が離れるように拡開し、これが戻るとキャップは電気コネクタに係止する。以上はキャップを装着する場合であるが、キャップの取り外しはそれぞれ逆の操作で行われる。
【００１２】
電気コネクタに保持された平形柔軟ケーブルが外力を受けて厚さ方向に振れると、平形柔軟ケーブルがキャップの正面部の厚さ方向の先端に当たるので、振れが抑制される。そのため、平形柔軟ケーブルとコンタクトとの接続状態が安定的に維持される。
【００１３】
キャップに、例えば電気コネクタの種類又は接続に関する情報を表示することができる。このように情報表示を行うか否かは任意であるが、情報表示を行った場合、電気コネクタをプリント配線板等に実装した後でもキャップを電気コネクタに装着することで簡単に情報表示ができ、しかもキャップを別のキャップに付け替えることで表示情報の書換を簡単に行える。
【００１４】
請求項２の平形柔軟ケーブル用電気コネクタのキャップは、請求項１の平形柔軟ケーブル用電気コネクタのキャップにおいて、正面部及び背面部のうち少なくとも一方が奥行き方向に突出する突出部を備えており、この突出部で電気コネクタに接触している。
【００１５】
このようにすれば、突出部に電気コネクタとの接触力が集中してかかるので、キャップの係止力が向上する。
【００１６】
請求項３の平形柔軟ケーブル用電気コネクタのキャップは、請求項２の平形柔軟ケーブル用電気コネクタのキャップにおいて、突出部の先端の表面が幅方向からみて弧を描くように形成されている。
【００１７】
このようにすれば、キャップを電気コネクタに天井壁の側から押しつけて電気コネクタに装着する場合、キャップを回動により電気コネクタに装着する場合に突出部が電気コネクタにおける天井壁の奥行き方向の端縁をスムーズに乗り越えることができる。
【００１８】
請求項４の平形柔軟ケーブル用電気コネクタのキャップは、請求項２又は請求項３の平形柔軟ケーブル用電気コネクタのキャップにおいて、突出部に、幅方向からみてほぼＬ字形の段部が、電気コネクタの天井壁の角部に二面で接触するように設けられている。
【００１９】
このようにすれば、キャップを回動により電気コネクタに装着する場合、電気コネクタを回動していくと、段部の端縁が電気コネクタの天井壁に接触している状態から段部の全面で天井壁の角部に接触するときにクリック感が得られる。
【００２０】
請求項５の平形柔軟ケーブル用電気コネクタのキャップは、請求項１ないし請求項４のうちいずれか１項の平形柔軟ケーブル用電気コネクタのキャップにおいて、正面部の厚さ方向の先端が電気コネクタに挿入された平形柔軟ケーブルに接触できるように構成されている。
【００２１】
このようにすれば、電気コネクタに保持された平形柔軟ケーブルが外力を受けて厚さ方向に振れると、平形柔軟ケーブルがキャップの正面部の厚さ方向の先端に常に当たっているので、それよりも奥行き方向の奥側に振れが伝わらない。そのため、平形柔軟ケーブルとコンタクトとの接続状態が安定的に維持される。また、平形柔軟ケーブルが振動を受けても、この振動がキャップの正面部における厚さ方向の先端で遮断される。そのため、平形柔軟ケーブルとコンタクトとの接触部の付近に微摺動摩耗が生じることがなく、平形柔軟ケーブルとコンタクトとの接続状態が安定的に維持される。さらに、キャップの正面部により電気コネクタの収容室の開口が塞がれるので、収容室への塵の侵入が阻止され、平形柔軟ケーブルとコンタクトとの接続状態が安定的に維持される。
【００２２】
請求項６の平形柔軟ケーブル用電気コネクタのキャップは、請求項１ないし請求項５のうちいずれか１項の平形柔軟ケーブル用電気コネクタのキャップにおいて、正面部の厚さ方向の長さが、ほぼ天井壁の表面から平形柔軟ケーブル挿入時におけるコンタクトの接点までの厚さ方向の距離に一致するように設けられた。
【００２３】
このようにすれば、コンタクトに対して天井壁と厚さ方向の反対側に平形柔軟ケーブルを挿入するようにしたタイプの電気コネクタにキャップを装着すると、正面部の厚さ方向の先端が電気コネクタに挿入された平形柔軟ケーブルに接触する。
【００２４】
請求項７の平形柔軟ケーブル用電気コネクタのキャップは、請求項１ないし請求項６のうちいずれか１項の平形柔軟ケーブル用電気コネクタのキャップにおいて、正面部の厚さ方向の長さが、ほぼ天井壁の厚さに一致するように設けられた。
【００２５】
このようにすれば、コンタクトと天井壁との間に平形柔軟ケーブルを挿入するようにしたタイプの電気コネクタにキャップを装着すると、正面部の厚さ方向の先端が電気コネクタに挿入された平形柔軟ケーブルに接触する。
【００２６】
請求項８の平形柔軟ケーブル用電気コネクタのキャップは、請求項１ないし請求項７のうちいずれか１項の平形柔軟ケーブル用電気コネクタのキャップにおいて、正面部及び背面部のうち少なくとも一方が板状に形成されている。
【００２７】
このようにすれば、平形柔軟ケーブルの振れ抑制もしくは振れ伝達阻止による平形柔軟ケーブルとコンタクトとの接続状態の安定的維持、平形柔軟ケーブルとコンタクトとの接触部付近における微摺動摩耗発生防止による平形柔軟ケーブルとコンタクトとの接続状態の安定的維持、収容室への塵侵入阻止による平形柔軟ケーブルとコンタクトとの接続状態の安定的維持が、幅方向に連続的に得ることができる。
【００２８】
請求項９の平形柔軟ケーブル用電気コネクタのキャップは、請求項１ないし請求項８のうちいずれか１項の平形柔軟ケーブル用電気コネクタのキャップにおいて、キャップの表面に、電気コネクタの種類又は接続に関する情報が表示されている。
【００２９】
【発明の実施の形態】
以下、本発明の実施の形態を説明する。図１及び図２は、本発明に係る平形柔軟ケーブル用電気コネクタのキャップ１００の第１の実施形態を示す。図３及び図４は、このキャップ１００が装着される平形柔軟ケーブル用電気コネクタ２００を示す。互いに直交する奥行き方向、幅方向、及び厚さ方向を想定し、これらの方向付けを利用して説明する。この実施形態の場合、図２で説明すれば、図２の左右方向が奥行き方向であり、図２の右方が奥行き方向の奥、左方が奥行き方向の手前である。また、図２の上下方向が厚さ方向であり、図２の紙面に垂直な方向が幅方向である。平形柔軟ケーブルは、ＦＦＣ、ＦＰＣを含む。
【００３０】
電気コネクタ２００は、ほぼ直方体形に形成されている。電気コネクタ２００には、奥行き方向の手前に開口し、厚さ方向に面を向けた平形柔軟ケーブル３００を受け入れる収容室２１０を備えている。平形柔軟ケーブル３００が厚さ方向に面を向けている場合、厚さ方向からみてほぼ矩形又は帯形に形成された平形柔軟ケーブル３００は一辺が幅方向に延び、他の一辺が奥行き方向に延びている。この収容室２１０には、導電性を有して厚さ方向に弾性変形できるコンタクト２２０が設けられている。電気コネクタ２００の収容室２１０に対して厚さ方向の一方側には天井壁２３０が設けられている。この天井壁２３０は、奥行き方向に延びる辺と幅方向に延びる辺とを有してほぼ矩形に形成されている。この実施形態の場合、電気コネクタ２００は、幅方向の離れた位置から厚さ方向に立ち上がる二つの側壁２４０、２４０を備えており、天井壁２３０は、この二つの側壁２４０、２４０を接続するように設けられている。また電気コネクタ２００は、天井壁２３０と厚さ方向に対向する底壁２５０を備えている。本発明のキャップ１００は底壁を備えていない電気コネクタ２００にも用いることができる。
【００３１】
キャップ１００は可撓性を有している。これは、例えば樹脂で成形することで得られる。キャップ１００は、奥行き方向の両端に幅方向に延びる端縁１１１、１１２を有する板状の本体部１１０と、本体部１１０の奥行き方向の両側の端縁１１１、１１２から厚さ方向の一方に延びる正面部１２０及び背面部１３０とを備えている。そして、図５ないし図８に示すように、本体部１１０が電気コネクタ２００の収容室２１０に対して厚さ方向の一方側にある天井壁２３０に重なるように配置すると、正面部１２０が電気コネクタ２００に正面側から接触し、背面部１３０が電気コネクタ２００に背面側から接触し、可撓性により正面部１２０及び背面部１３０で電気コネクタ２００を接触力をもって挟持するように構成している。
【００３２】
正面部１２０及び背面部１３０は奥行き方向に突出する突出部１２１、１３１を備えており、この突出部１２１、１３１で電気コネクタ２００に接触している。
【００３３】
背面部１３０の突出部１３１の先端の表面は、幅方向からみて弧を描くように形成されている。
【００３４】
正面部１２０の突出部１２１には、幅方向からみてほぼＬ字形の段部１２１ａが設けられている。この段部１２１ａは、奥行き方向の奥に向いた面と、本体部１１０の内面に対向する面とを有している。一方、電気コネクタ２００の天井壁２３０には、角部２３１が設けられている。この角部２３１は、奥行き方向手前に向いた面と、底壁２５０に対向する面とを有している。段部１２１ａは、角部２３１に上記二面でそれぞれ接触するように設けられている。
【００３５】
正面部１２０の厚さ方向の先端１２２は、電気コネクタ２００に挿入された平形柔軟ケーブル３００に接触できるように構成されている。
【００３６】
図１２に示すように、この実施形態の場合、電気コネクタ２００は、コンタクト２２０に対して天井壁２３０と厚さ方向の反対側に平形柔軟ケーブル３００を挿入するようにしている。ここではコンタクト２２０と底壁２５０との間に平形柔軟ケーブル３００を挿入するようにしている。コンタクト２２０は、その弾性復元力により、接触圧力をもって平形柔軟ケーブル３００に接する。そして、同図に示すように、正面部１２０の厚さ方向の長さＨが、ほぼ天井壁２３０の表面から平形柔軟ケーブル挿入時におけるコンタクト２２０の接点までの厚さ方向の距離に一致するように設けられている。
【００３７】
正面部１２０及び背面部１３０が板状に形成されている。
【００３８】
従って、第１実施形態の場合、図９に示すように、キャップ１００を電気コネクタ２００に天井壁２３０の側から押しつけると（矢印の方向）、正面部１２０及び背面部１３０が離れるように拡開し、これが戻るとキャップ１００が電気コネクタ２００に係止する。また、図１０に示すように、キャップ１００を電気コネクタ２００の幅方向の一方側に配置し、電気コネクタ２００に向かってスライドすると（矢印の方向）、正面部１２０及び背面部１３０が離れるように拡開し、これが戻るとキャップ１００が電気コネクタ２００に係止する。また、図１１に示すように、キャップ１００の正面部１２０又は背面部１３０を電気コネクタ２００の正面又は背面に接触させ、キャップ１００を回動していくと（矢印の方向）、正面部１２０及び背面部１３０が離れるように拡開し、これが戻るとキャップ１００は電気コネクタ２００に係止する。以上はキャップ１００を装着する場合であるが、キャップ１００の取り外しはそれぞれ逆の操作で行われる。キャップ１００の電気コネクタ２００への装着及び電気コネクタ２００からの取り外しは、電気コネクタ２００に平形柔軟ケーブル３００を接続した状態でも行えるし、電気コネクタ２００に平形柔軟ケーブル３００を接続していない状態でも行える。また、キャップ１００を電気コネクタ２００に装着した状態でも平形柔軟ケーブル３００の電気コネクタ２００への接続、電気コネクタ２００からの取り外しを行うことができる。
【００３９】
図１２に示すように、電気コネクタ２００に保持された平形柔軟ケーブル３００が外力を受けて例えば仮想線で示したように厚さ方向に振れると、平形柔軟ケーブル３００がキャップ１００の正面部１２０の厚さ方向の先端１２２に当たるので、振れが抑制される。そのため、平形柔軟ケーブル３００とコンタクト２２０との接続状態が安定的に維持される。
【００４０】
キャップ１００に、例えば電気コネクタ２００の種類又は接続に関する情報を表示することができる。このように情報表示を行うか否かは任意であるが、情報表示を行った場合、電気コネクタ２００をプリント配線板等に実装した後でもキャップ１００を電気コネクタ２００に装着することで簡単に情報表示ができ、しかもキャップ１００を別のキャップ１００に付け替えることで表示情報の書換を簡単に行える。
【００４１】
本発明は、正面部及び背面部のいずれにも突出部を設けない実施形態を含む。しかし、上記実施形態の場合、正面部１２０及び背面部１３０は奥行き方向に突出する突出部１２１、１３１を備えており、この突出部１２１、１３１で電気コネクタ２００に接触している。このようにすれば、突出部１２１、１３１に電気コネクタ２００との接触力が集中してかかるので、キャップ１００の係止力が向上する。本発明は、正面部及び背面部のうち一方のみに奥行き方向に突出する突出部を備え、この突出部で電気コネクタに接触している実施形態を含む。
【００４２】
本発明は、突出部の形状を限定するものではない。しかし、上記実施形態の場合、突出部１３１の先端の表面が幅方向からみて弧を描くように形成されている。このようにすれば、キャップ１００を電気コネクタ２００に天井壁２３０の側から押しつけて電気コネクタ２００に装着する場合、キャップ１００を回動により電気コネクタ２００に装着する場合に突出部１３１が電気コネクタ２００における天井壁２３０の奥行き方向の端縁をスムーズに乗り越えることができる。正面部１２０の突出部１２１の先端の表面を幅方向からみて弧を描くように形成したときにも、同様の作用及び効果を得ることができる。
【００４３】
本発明は、突出部の形状を限定するものではない。しかし、上記実施形態の場合、突出部１２１に、幅方向からみてほぼＬ字形の段部１２１ａが、電気コネクタ２００の天井壁２３０の角部２３１に二面で接触するように設けられている。このようにすれば、キャップ１００を回動により電気コネクタ２００に装着する場合、電気コネクタ２００を回動していくと、段部１２１ａの端縁が電気コネクタ２００の天井壁２３０に接触している状態から段部１２１ａの全面で天井壁２３０の角部２３１に接触するときにクリック感が得られる。背面部１３０の突出部１３１に、幅方向からみてほぼＬ字形の段部を、電気コネクタの天井壁の角部に二面で接触するように設けたときにも、同様の作用及び効果を得ることができる。
【００４４】
本発明は、正面部が常態で電気コネクタに挿入された平形柔軟ケーブルに接触しない実施形態を含む。しかし、上記実施形態の場合、正面部１２０の厚さ方向の先端１２２が電気コネクタ２００に挿入された平形柔軟ケーブル３００に接触できるように構成されている。このようにすれば、図１２に示すように、電気コネクタ２００に保持された平形柔軟ケーブル３００が外力を受けて例えば仮想線で示したように厚さ方向に振れると、平形柔軟ケーブル３００がキャップ１００の正面部１２０の厚さ方向の先端１２２に常に当たっているので、それよりも奥行き方向の奥側に振れが伝わらない。そのため、平形柔軟ケーブル３００とコンタクト２２０との接続状態が安定的に維持される。また、平形柔軟ケーブル３００が振動を受けても、この振動がキャップ１００の正面部１２０における厚さ方向の先端１２２で遮断される。そのため、平形柔軟ケーブル３００とコンタクト２２０との接触部の付近に微摺動摩耗が生じることがなく、平形柔軟ケーブル３００とコンタクト２２０との接続状態が安定的に維持される。さらに、キャップ１００の正面部１２０により電気コネクタ２００の収容室２１０の開口が塞がれるので、収容室２１０への塵の侵入が阻止され、平形柔軟ケーブル３００とコンタクト２２０との接続状態が安定的に維持される。
【００４５】
本発明は、正面部の本体部からの突き出し寸法を限定するものではない。しかし、上記実施形態の場合、正面部１２０の厚さ方向の長さが、ほぼ天井壁２３０の表面から平形柔軟ケーブル挿入時におけるコンタクト２２０の接点までの厚さ方向の距離に一致するように設けられた。このようにすれば、コンタクト２２０に対して天井壁２３０と厚さ方向の反対側に平形柔軟ケーブル３００を挿入するようにしたタイプの電気コネクタ２００にキャップ１００を装着すると、正面部１２０の厚さ方向の先端１２２が電気コネクタ２００に挿入された平形柔軟ケーブル３００に接触する。そして、平形柔軟ケーブルの振れ伝達阻止による平形柔軟ケーブルとコンタクトとの接続状態の安定的維持、平形柔軟ケーブルとコンタクトとの接触部付近における微摺動摩耗発生防止による平形柔軟ケーブルとコンタクトとの接続状態の安定的維持、収容室への塵侵入阻止による平形柔軟ケーブルとコンタクトとの接続状態の安定的維持が達成される。
【００４６】
本発明は、正面部、背面部を例えば棒状に設けた実施形態を含む。しかし、上記実施形態の場合、正面部１２０及び背面部１３０が板状に形成されている。このようにすれば、平形柔軟ケーブル３００の振れ抑制もしくは振れ伝達阻止による平形柔軟ケーブル３００とコンタクト２２０との接続状態の安定的維持、平形柔軟ケーブル３００とコンタクト２２０との接触部付近における微摺動摩耗発生防止による平形柔軟ケーブル３００とコンタクト２２０との接続状態の安定的維持、収容室２１０への塵侵入阻止による平形柔軟ケーブル３００とコンタクト２２０との接続状態の安定的維持が、幅方向に連続的に得ることができる。本発明は、正面部及び背面部のうち一方のみを板状に形成した実施形態を含む。
【００４７】
図１３は第２実施形態のキャップ１００を示す。第１の実施形態のキャップ１００の部分と同一の機能を発揮する部分には同一の符号を付して説明を省略する。第１の実施形態のキャップ１００は、コンタクト２２０に対して天井壁２３０と厚さ方向の反対側に平形柔軟ケーブル３００を挿入するようにした電気コネクタ２００を対象とした。これに対して第２の実施形態のキャップ１００は、コンタクト２２０と天井壁２３０との間に平形柔軟ケーブル３００を挿入するようにした電気コネクタ２００を対象としている。第２実施形態の場合、図１３に示すように、正面部１２０の厚さ方向の長さＨが、ほぼ天井壁２３０の厚さに一致するように設けられている。その他の構成は第１の実施形態の場合と同様である。従って、この第２実施形態のキャップ１００により得られる作用及び効果は第１実施形態のときと同様である。この第２実施形態によって正面部の本体部からの突き出し寸法を限定するものではないが、正面部１２０の厚さ方向の長さＨを、ほぼ天井壁２３０の厚さに一致するように設けたときには、コンタクト２２０と天井壁２３０との間に平形柔軟ケーブル３００を挿入するようにしたタイプの電気コネクタ２００にキャップ１００を装着すると、正面部１２０の厚さ方向の先端１２２が電気コネクタ２００に挿入された平形柔軟ケーブル３００に接触する。そして、平形柔軟ケーブルの振れ伝達阻止による平形柔軟ケーブルとコンタクトとの接続状態の安定的維持、平形柔軟ケーブルとコンタクトとの接触部付近における微摺動摩耗発生防止による平形柔軟ケーブルとコンタクトとの接続状態の安定的維持、収容室への塵侵入阻止による平形柔軟ケーブルとコンタクトとの接続状態の安定的維持が達成される。
【００４８】
図１４は第３実施形態のキャップ１００を示す。第１の実施形態のキャップ１００の部分と同一の機能を発揮する部分には同一の符号を付して説明を省略する。このキャップ１００の表面には、電気コネクタ２００の種類又は接続に関する情報１４０が表示されている。ここでは本体部１１０に例えば印刷等で文字等を表示しているが、表示内容、表示の方法はこれに限定されない。例えば、手書きで情報を表示してもよいし、キャップの形状、模様、色彩又はこれらの組み合わせにより情報を表示してもよい。また、正面部１２０又は背面部１３０に情報を表示してもよい。その他の構成は第１の実施形態の場合と同様である。
【００４９】
【発明の効果】
請求項１の平形柔軟ケーブル用電気コネクタのキャップは、電気コネクタへの装着及び電気コネクタからの取り外しを容易に行うことができ、振れ抑制により平形柔軟ケーブルとコンタクトとの接続状態を安定的に維持することができる。しかも、キャップに情報表示をすることもでき、そうしたときには、電気コネクタをプリント配線板等に実装した後でも電気コネクタに装着することで簡単に情報表示ができ、しかもキャップを別のキャップに付け替えることで表示情報の書換を簡単に行うことができる。
【００５０】
請求項２のようにすれば、突出部に電気コネクタとの接触力が集中してかかるので、キャップの係止力が向上する。
【００５１】
請求項３のようにすれば、キャップを電気コネクタに天井壁の側から押しつけて電気コネクタに装着する場合、キャップを回動により電気コネクタに装着する場合に操作をスムーズに行うことができる。
【００５２】
請求項４のようにすれば、キャップを電気コネクタへの装着時にクリック感を得ることができる。
【００５３】
請求項５のようにすれば、振れ伝達阻止により平形柔軟ケーブルとコンタクトとの接続状態を安定的に維持することができ、振動遮断による微摺動摩耗の発生防止により平形柔軟ケーブルとコンタクトとの接続状態を安定的に維持することができ、収容室への塵侵入阻止により平形柔軟ケーブルとコンタクトとの接続状態を安定的に維持することができる。
【００５４】
請求項６のようにすれば、コンタクトに対して天井壁と厚さ方向の反対側に平形柔軟ケーブルを挿入するようにしたタイプの電気コネクタにキャップを装着すると、正面部の厚さ方向の先端が電気コネクタに挿入された平形柔軟ケーブルに接触するので、請求項５の効果を得ることができる。
【００５５】
請求項７のようにすれば、コンタクトと天井壁との間に平形柔軟ケーブルを挿入するようにしたタイプの電気コネクタにキャップを装着すると、正面部の厚さ方向の先端が電気コネクタに挿入された平形柔軟ケーブルに接触するので、請求項５の効果を得ることができる。
【００５６】
請求項８のようにすれば、平形柔軟ケーブルの振れ抑制もしくは振れ伝達阻止による平形柔軟ケーブルとコンタクトとの接続状態の安定的維持、平形柔軟ケーブルとコンタクトとの接触部付近における微摺動摩耗発生防止による平形柔軟ケーブルとコンタクトとの接続状態の安定的維持、収容室への塵侵入阻止による平形柔軟ケーブルとコンタクトとの接続状態の安定的維持が、幅方向に連続的に得ることができる。
【００５７】
請求項９のようにすれば、電気コネクタをプリント配線板等に実装した後でも電気コネクタに装着することで簡単に情報表示ができ、しかもキャップを別のキャップに付け替えることで表示情報の書換を簡単に行うことができる。
【図面の簡単な説明】
【図１】第１実施形態のキャップを示す斜視図である。
【図２】第１実施形態のキャップを幅方向からみた図である。
【図３】第１実施形態のキャップが装着される電気コネクタの斜視図である。
【図４】第１実施形態のキャップが装着される電気コネクタを別の角度からみた斜視図である。
【図５】第１実施形態のキャップを装着した電気コネクタの斜視図である。
【図６】第１実施形態のキャップを装着した電気コネクタを別の角度からみた斜視図である。
【図７】第１実施形態のキャップを装着した電気コネクタを幅方向からみた図である。
【図８】第１実施形態のキャップを装着した電気コネクタを幅方向に向いた面で断面し、幅方向からみた断面図である。
【図９】第１実施形態のキャップを電気コネクタに装着する第１の方法を示す図である。
【図１０】第１実施形態のキャップを電気コネクタに装着する第２の方法を示す図である。
【図１１】第１実施形態のキャップを電気コネクタに装着する第３の方法を示す図である。
【図１２】第１実施形態のキャップを装着すると共に平形柔軟ケーブルを接続した電気コネクタを示す断面図である。厚さ方向に振れた平形柔軟ケーブルを仮想線で示している。
【図１３】第２実施形態のキャップを装着した電気コネクタを幅方向に向いた面で断面し、幅方向からみた断面図である。厚さ方向に振れた平形柔軟ケーブルを仮想線で示している。
【図１４】第３実施形態のキャップを装着した電気コネクタの斜視図である。
【符号の説明】
１００  キャップ
１１０  本体部
１１１  端縁
１１２  端縁
１２０  正面部
１２１  突出部
１２１ａ  段部
１２２  先端
１３０  背面部
１３１  突出部
２００  電気コネクタ
２１０  収容室
２２０  コンタクト
２３０  天井壁
２３１  角部
３００  平形柔軟ケーブル
【図１】
2004342527.tif 000003
【図２】
2004342527.tif 000004
【図３】
2004342527.tif 000005
【図４】
2004342527.tif 000006
【図５】
2004342527.tif 000007
【図６】
2004342527.tif 000008
【図７】
2004342527.tif 000009
【図８】
2004342527.tif 000010
【図９】
2004342527.tif 000011
【図１０】
2004342527.tif 000012
【図１１】
2004342527.tif 000013
【図１２】
2004342527.tif 000014
【図１３】
2004342527.tif 000015
【図１４】
2004342527.tif 000016